(57)【要約】【課題】  釣り用リールのハンドル把手において、全体の軽量化を図るとともに、外観の美観を高く維持しながら、把持したときの触感を良好にする。【解決手段】  釣り用リールのハンドル把手９は、把手軸１８の外周側に装着される筒状部９０と、ハンドルアーム８側に配置され外周面が略半球状に形成された第１把手９２と、第１把手９２のハンドルアーム８と逆側に配置され外周面が略円筒状に形成された第２把手９３と、第２把手９３のハンドルアーム８と逆側に配置され外周面が略半球状に形成された第３把手９４とを有している。第１把手９２及び第３把手９４は、真鍮等の金属の同じ材質の部材により形成されている。第２把手９３は、合成樹脂により形成され、第１把手９２及び第３把手９４と異なる材質の部材で形成されている。【選択図】      図８
2006238746.tif 000002
【特許請求の範囲】
【請求項１】
釣り用リールのハンドルアームの先端に固定された把手軸に回転自在に装着されるハンドル把手であって、
前記把手軸の外周側に装着される筒状部と、
前記筒状部の先端部外周を覆うように前記筒状部外周に回転不能に設けられ、内部に第１空間を有する第１把手と、
前記第１把手の前記ハンドルアームと逆側の位置で前記第１把手に着脱可能に装着され、内部に前記第１空間と連通する第２空間を有する第２把手と、
前記第２把手の前記ハンドルアームと逆側の位置で前記第２把手に着脱可能に装着され、内部に前記第２空間と連通する第３空間を有する第３把手と、
を備えた釣り用リールのハンドル把手。
【請求項２】
前記第２把手は、前記第１把手及び前記第３把手のいずれかと異なる材質の部材により形成されている、請求項１に記載の釣り用リールのハンドル把手。
【請求項３】
前記第１把手は、前記第３把手と同一の材質の部材により形成されている、請求項１又は２に記載の釣り用リールのハンドル把手。
【請求項４】
前記第３把手は、外周部から挿入されたねじ部材によって前記第１把手にねじ止めされ、前記第１把手とで前記第２把手を挟持している、請求項３に記載の釣り用リールのハンドル把手。
【請求項５】
前記筒状部は、前記第１把手と一体成形されている、請求項１から４のいずれか１項に記載の釣り用リールのハンドル把手。
【請求項６】
前記筒状部は、前記第１把手と別体で設けられている、請求項１から４のいずれか１項に記載の釣り用リールのハンドル把手。
【請求項７】
前記第１把手及び前記第３把手の少なくともいずれかは、金属製部材である、請求項１から６のいずれか１項に記載の釣り用リールのハンドル組立体。
【請求項８】
前記第２把手は、合成樹脂製部材である、請求項１から６のいずれか１項に記載の釣り用リールのハンドル組立体。
【請求項９】
前記第２把手は、炭素繊維強化樹脂製部材である、請求項８に記載の釣り用リールのハンドル組立体。
【請求項１０】
前記釣り用リールは、スピニングリールである、請求項１から９のいずれか１項に記載の釣り用リールのハンドル把手。
【請求項１１】
前記釣り用リールは、両軸受リールである、請求項１から９のいずれか１項に記載の釣り用リールのハンドル把手。
【発明の詳細な説明】
【技術分野】
【０００１】
本発明は、ハンドル把手、特に、釣り用リールのハンドルアームの先端に固定された把手軸に回転自在に装着されるハンドル把手に関する。
【背景技術】
【０００２】
スピニングリールや、両軸受リール等の釣り用リールのハンドル軸の先端には、ハンドル組立体が固定されている。ハンドル組立体は、ハンドル軸の先端に回転不能に装着されたハンドルアームと、ハンドルアームの先端に固定された把手軸と、把手軸に回転自在に装着されたハンドル把手とを有している。このようなハンドル把手は、外形が全体を掌で握持可能な形状、たとえば外形が略球状になるように形成されている。
【０００３】
このようなハンドル組立体は、一般に、リール全体の軽量化を図るために、ハンドル把手の内部に空洞部を設け、中空構造にしたものが知られている（たとえば、特許文献１参照）。このようなハンドル把手は、たとえば真鍮等の金属製の部材であって、把手軸の外周側に装着される筒状部と、筒状部の外周に一体成形された略半球状の第１把手と、第１把手のハンドルアームと逆側の位置で第１把手に着脱可能に装着される略半球状の第２把手とを有している。第２把手は、第１把手と同じ材質の部材、たとえば真鍮等の金属製の部材である。ここでは、筒状部の先端部外周に大径となるように一体成形されたボス部に第２把手の外周部から挿入されたねじ部材を装着することにより、第２把手を第１把手に着脱可能に装着することができる。
【特許文献１】特開２００４−２３６５４１号公報
【発明の開示】
【発明が解決しようとする課題】
【０００４】
前記従来のハンドル把手は、第１把手及び第２把手が真鍮等の金属製の部材により形成されているので、外観の美観を向上できるとともに、第１把手及び第２把手を把持したときの触感を良好にすることができる。このような、ハンドル把手は、さらに軽量化を図るために、第１把手及び第２把手の少なくとも一方を合成樹脂等の比較的軽量の部材により形成することが考えられる。しかし、第１把手及び第２把手の両方を合成樹脂により形成すると、第１把手及び第２把手が真鍮製である場合に比して、外観の美観が低下するおそれがある。また、第１把手及び第２把手の一方を合成樹脂により形成し、第１把手及び第２把手の他方を真鍮により形成すると、ハンドル把手を把持したときに指先が接触する第１把手と掌が接触する第２把手とで触感が異なるので、釣人が違和感を感じるおそれが生じる。
【０００５】
本発明の課題は、釣り用リールのハンドル把手において、全体の軽量化を図るとともに、外観の美観を高く維持しながら、把持したときの触感を良好にすることにある。
【課題を解決するための手段】
【０００６】
発明１に係る釣り用リールのハンドル把手は、釣り用リールのハンドルアームの先端に固定された把手軸に回転自在に装着されるハンドル把手であって、把手軸の外周側に装着される筒状部と、筒状部の先端部外周を覆うように筒状部外周に回転不能に設けられ内部に第１空間を有する第１把手と、第１把手のハンドルアームと逆側の位置で第１把手に着脱可能に装着され内部に第１空間と連通する第２空間を有する第２把手と、第２把手のハンドルアームと逆側の位置で第２把手に着脱可能に装着され内部に第２空間と連通する第３空間を有する第３把手とを備えている。
【０００７】
このハンドル把手は、筒状部と、筒状部外周に設けられた第１把手、第２把手及び第３把手の３つの部材とで構成されている。ここでは、たとえば第１把手、第２把手及び第３把手のうちの少なくとも１つの部材を合成樹脂により形成し、第１把手、第２把手及び第３把手のうちの残りの部材を金属により形成することができるので、合成樹脂製部材によって全体の軽量化を図りながら、金属製部材によって外観の美観を高く維持できる。また、たとえば第２把手を合成樹脂又は金属により形成し、第１把手及び第３把手を金属又は合成樹脂により形成した場合には、第１把手及び第３把手が同じ材質の部材で形成できるので、ハンドル把手を把持したときに指先が接触する第１把手と掌が接触する第３把手とで触感が同じになり、このためハンドル把手を把持したときの触感を良好にすることができる。
【０００８】
発明２に係るハンドル把手は、発明１のハンドル把手において、第２把手は、第１把手及び第３把手のいずれかと異なる材質の部材により形成されている。この場合、たとえば第２把手を合成樹脂により形成し、第１把手及び第３把手を金属により形成することができるので、第２把手の合成樹脂製部材によって全体の軽量化を図りながら、第１把手及び第３把手の金属製部材によって外観の美観を高く維持できる。
【０００９】
発明３に係るハンドル把手は、発明１又は２のハンドル把手において、第１把手は、第３把手と同一の材質の部材により形成されている。この場合、たとえば第１把手及び第３把手を金属又は合成樹脂の同一の材質の部材によって形成することにより、ハンドル把手を把持したときに指先が接触する第１把手と掌が接触する第２把手とで触感が同じになるので、ハンドル把手を把持したときの触感を良好にすることができる。
【００１０】
発明４に係るハンドル把手は、発明３のハンドル把手において、第３把手は、外周部から挿入されたねじ部材によって第１把手にねじ止めされ、第１把手とで第２把手を挟持している。この場合、第１把手と第３把手とで第２把手を挟持することにより、第２把手に第１把手又は第３把手を装着するための装着部を加工する必要がなくなるので、第２把手の形成が容易になる。
【００１１】
発明５に係るハンドル把手は、発明１から４のいずれかのハンドル把手において、筒状部は、第１把手と一体成形されている。この場合、たとえば筒状部と第１把手とを成形加工によって容易に形成できる。
【００１２】
発明６に係るハンドル把手は、発明１から４のいずれかのハンドル把手において、筒状部は、第１把手と別体で設けられている。この場合、筒状部と第１把手とを異なる材質の部材により形成することができ、たとえば筒状部を第１把手にインサート成形することによって相対回転不能に装着することができる。
【００１３】
発明７に係るハンドル把手は、発明１から６のいずれかのハンドル把手において、第１把手及び第３把手の少なくともいずれかは、金属製部材である。この場合、たとえば真鍮等の金属によって第１把手及び第３把手を形成することにより、外観の美観をさらに高く維持しながら、把持したときの触感をさらに良好にすることができる。
【００１４】
発明８に係るハンドル把手は、発明１から６のいずれかのハンドル把手において、第２把手は、合成樹脂製部材である。この場合、一般に軽量な合成樹脂によって第２把手を形成することにより、ハンドル把手全体を軽量化できる。
【００１５】
発明９に係るハンドル把手は、発明８のハンドル把手において、第２把手は、炭素繊維強化樹脂製部材である。この場合、たとえば高強度かつ軽量な炭素繊維強化樹脂（ＣＦＲＰ）によって第２把手を形成することにより、ハンドル把手の強度を高く維持しながら、ハンドル把手全体を軽量化できる。
【００１６】
発明１０に係るハンドル把手は、発明１から９のいずれかのハンドル把手において、釣り用リールは、スピニングリールである。この場合、スピニングリールのハンドル把手において、全体の軽量化を図るとともに、外観の美観を高く維持しながら、把持したときの触感を良好にすることができる。
【００１７】
発明１１に係るハンドル把手は、発明１から９のいずれかのハンドル把手において、釣り用リールは、両軸受リールである。この場合、両軸受リールのハンドル把手において、全体の軽量化を図るとともに、外観の美観を高く維持しながら、把持したときの触感を良好にすることができる。
【発明の効果】
【００１８】
本発明によれば、釣り用リールのハンドル把手において、第１把手、第２把手及び第３把手の３つの部材でハンドル把手を構成することにより、全体の軽量化を図るとともに、外観の美観を高く維持しながら、把持したときの触感を良好にすることができる。
【発明を実施するための最良の形態】
【００１９】
本発明の一実施形態を採用したスピニングリールは、図１に示すように、ハンドル組立体１と、ハンドル組立体１を回転自在に支持するリール本体２と、ロータ３と、スプール４とを備えている。ハンドル組立体１は、リール本体２の両側部の一方側に交換可能に装着されており、たとえば図１ではリール本体２の右側部に装着され、図２及び図４ではリール本体２の左側部に装着されている。ロータ３は、リール本体２の前部に回転自在に支持されている。スプール４は、釣り糸を外周面に巻き取るものであり、ロータ３の前部に前後移動自在に配置されている。
【００２０】
ハンドル組立体１は、図２に示すように、後述するハンドル軸１０の先端に装着されるハンドルアーム８と、ハンドルアーム８の先端に装着されたハンドル把手９とを備えている。ハンドル把手９は、ハンドルアーム８の先端にかしめ固定された把手軸１８に回転自在に装着されている。
【００２１】
ハンドル把手９は、図５から図８に拡大して示すように、把手軸１８の外周側に装着される筒状部９０と、筒状部９０と一体成形される略球状の把手部９１とを有している。把手部９１は、ハンドルアーム８側に配置され外周面が略半球状に形成された第１把手９２と、第１把手９２のハンドルアーム８と逆側に配置され外周面が略円筒状に形成された第２把手９３と、第２把手９３のハンドルアーム８と逆側に配置され外周面が略半球状に形成された第３把手９４とを有している。
【００２２】
筒状部９０は、図５から図８に示すように、ハンドルアーム８側が開口する筒状部材である。筒状部９０は、真鍮等の金属を成型加工した後切削加工することによって把手部９１と一体成形されている。筒状部９０及び把手部９１の内周部は、図８に示すように、把手軸１８の外周部に軸受２０ａ、２０ｂを介して回転自在に支持されている。把手軸１８の基端部は、図８に示すように、ハンドルアーム８の先端にかしめ固定され、把手軸１８の先端部は、ねじ部材２０ｃにより筒状部９０及び把手部９１を抜け止めしている。なお、筒状部９０の基端部は、他の部分より大径となるようになっている。
【００２３】
把手部９１は、図５及び図８に示すように、真鍮等の金属を成型加工した後切削加工することによって筒状部９０と一体成形され内部に第１空間９２ａを有する略半球状の第１把手９２と、合成樹脂を成型加工することによって形成され第１把手９２のハンドルアーム８と逆側の位置で第１把手９２に着脱可能に装着され内部に第１空間９２ａと連通する第２空間９３ａを有する第２把手９３と、真鍮等の金属を成型加工した後切削加工することによって形成され第２把手９３のハンドルアーム８と逆側の位置で第２把手９３に着脱可能に装着され内部に第２空間９３ａと連通する第３空間９４ａを有する第３把手９４とを有している。第３把手９４は、外周部から挿入された２本のねじ部材９５によって第１把手９２にねじ止めされ、第１把手９２とで第２把手９３を挟持している。
【００２４】
第１把手９２、第２把手９３及び第３把手９４は、図８に示すように、外形が滑らかに連続するようにそれぞれと印籠係合しており、把手軸１８の軸芯に対して軸対称となる略球状に形成されている。
【００２５】
第１把手９２は、真鍮等の金属を成型加工した後切削加工することによって形成された略半球状の部材である。第１把手９２の内周部前端面には、図８に示すように、ハンドルアーム８と逆側に柱状に突出する２つの第１ボス部９２ｂが一体成形されており、２つの第１ボス部９２ｂには、２本のねじ部材９５の第１雄ねじ部９５ｂが螺合可能な第１雌ねじ部９２ｃが形成されている。２つの第１ボス部９２ｂは、第２把手９３を第１把手９２に装着したとき、先端部が第２把手９３の内周側に位置するように延びている。
【００２６】
第２把手９３は、合成樹脂を成型加工することによって形成された略円筒状の部材であって、第１把手９２及び第３把手９４と異なる材質の部材により形成されている。第２把手９３は、第１把手９２及び第３把手９４と外形が滑らかに連結するように、外周面が湾曲した形状になっている。
【００２７】
第３把手９４は、真鍮等の金属を成型加工した後切削加工することによって形成された略半球状の部材であって、第１把手９２と同じ材質の部材により形成されている。第３把手９４の内周部後端面には、図８に示すように、ハンドルアーム８側に柱状に突出する２つの第２ボス部９４ｂが一体成形されており、２つの第２ボス部９４ｂには、２本のねじ部材９５が挿入可能な貫通孔９４ｃ及び貫通孔９４ｃより大径の段付凹部９４ｄがそれぞれ形成されている。２つの第２ボス部９４ｂは、先端部が第１把手９２の２つの第１ボス部９２ｂの先端部と対向する位置に設けられており、第２把手９３を第１把手９２に装着したとき、先端部が第２把手９３の内周側に位置するように延びている。また、第２ボス部９４ｂの貫通孔９４ｃは、第１ボス部９２ｂの第１雌ねじ部９２ｃと連通する位置に形成されている。貫通孔９４ｃは、ねじ部材９５の第１雄ねじ部９５ｂより大径になるように形成されており、段付凹部９４ｄには、ねじ部材９５の頭部９５ａが収納可能に形成されている。
【００２８】
このようなハンドル把手９を組み立てるには、図８に示すように、まず、筒状部９０を把手軸１８に対して回転可能に装着し、ねじ部材２０ｃによって抜け止めする。次に、第１把手９２の後端面が第２把手９３の前端面を印籠係合し、さらに第２把手９３の後端面が第３把手９４の前端面を印籠係合する。この状態で、第３把手９４の貫通孔９４ｃにねじ部材９５の第１雄ねじ部９５ｂを挿入する。そして、ねじ部材９５の第１雄ねじ部９５ｂを第１把手９２の第１雌ねじ部９２ｃに螺合し、ねじ部材９５の頭部９５ａが段付凹部９４ｄに接触するまでねじ込んで第３把手９４を第１把手９２に固定する。これにより、第２把手９３は、第１把手９２と第３把手９４とで軸方向移動不能に挟持される。
【００２９】
リール本体２は、側部に開口２ｃを有するリールボディ２ａと、リールボディ２ａから斜め上前方に一体で延びるＴ字状の竿取付脚２ｂと、リールボディ２ａの開口２ｃを閉塞するための蓋体２ｄとを有している。
【００３０】
リールボディ２ａは、図２及び図３に示すように、内部に空間を有しており、その空間内には、ロータ３をハンドル組立体１の回転に連動して回転させるロータ駆動機構５と、スプール４を前後に移動させて釣り糸を均一に巻き取るためのオシレーティング機構６とが設けられている。
【００３１】
リールボディ２ａの図２右側面には、図２に示すように、筒状のボス部１７ａが形成されている。ボス部１７ａは、後述するハンドル軸１０の図２右端を支持する軸受１６ａを収納するためにリールボディ２ａの内方に突出して形成されている。蓋体２ｄのボス部１７ａに対向する位置には、ボス部１７ｂが形成されている。ボス部１７ｂはハンドル軸１０の図２左端を支持する軸受１６ｂを収納するために蓋体２ｄの内方に突出して形成されている。ハンドル組立体１が装着された側と逆側のボス部（図２ではボス部１７ａ）は、軸カバー１９ａにより閉塞されている。ハンドル組立体１が装着された側のボス部（図２ではボス部１７ｂ）は、孔あきカバー１９ｂにより水の侵入が防止されている。軸カバー１９ａ及び孔あきカバー１９ｂは、円形の部材であり、それぞれボス部にねじ込み固定されている。
【００３２】
リールボディ２ａのボス部１７ａの前方には、図３に示すように、後述する回転伝達機構１４（図３参照）を収納するための膨出部２ｅが形成されている。膨出部２ｅは、図２下方側に向かって徐々に突出するように斜めに形成されており、膨出部２ｅの下端には、回転伝達機構１４を構成する第１軸受部２８が着脱自在に装着されている。膨出部２ｅの基端側には、リールボディ２ａの内方に突出する第２軸受部２９が形成されている。
【００３３】
ロータ駆動機構５は、図１及び図２に示すように、ハンドル組立体１が回転不能に装着されたハンドル軸１０と、ハンドル軸１０とともに回転するフェースギア１１と、このフェースギア１１に噛み合うピニオンギア１２とを有している。ハンドル軸１０の両端は、軸受１６ａ、１６ｂを介してリールボディ２ａ及び蓋体２ｄに回転自在に支持されている。この貫通孔にハンドル組立体１が回転不能にねじ込み固定されている。
【００３４】
オシレーティング機構６は、スプール４の中心部に固定されたスプール軸１５をロータ３に連動して前後方向に移動させてスプール４を同方向に移動させるための機構である。オシレーティング機構６には、回転伝達機構１４を介してハンドル組立体１の回転が伝達される。
【００３５】
オシレーティング機構６は、図１、図２及び図４に示すように、スプール軸１５の下方に配置された螺軸２１と、螺軸２１に沿って前後方向に移動するスライダ２２と、スライダ２２を案内する２本のガイド軸２４ａ、２４ｂとを有している。螺軸２１は、スプール軸１５と平行に配置されており、リールボディ２ａに回転自在に支持されている。また、螺軸２１の外周部には螺旋状の交差する溝２１ａが形成されている。
【００３６】
スライダ２２は、スライダ本体２５と、スライダ本体２５内に収納された係合部材２６とを有している。
スライダ本体２５は、たとえばアルミダイキャスト製であり、ガイド軸２４ａ、２４ｂが貫通するガイド孔２５ａ、２５ｂと、係合部材２６が装着される係合孔２５ｃと、スプール軸１５が回転不能に固定される装着孔２５ｄとを有している。スライダ本体２５は、ガイド軸２４ａ、２４ｂによりスプール軸１５と平行に案内される。
【００３７】
スプール軸１５の後端部は、略半円断面の装着孔２５ｄに回転不能に装着されており、たとえば図示しないビスによりスライダ本体２５に固定されている。これにより、スライダ２２の前後移動がスプール軸１５及びスプール４の前後移動に伝達される。また、スプール４がドラグ作動したときにスプール軸１５の回転を防止している。
【００３８】
係合部材２６は、係合孔２５ｃ内に回動自在に装着されており、係合部材２６の先端は、螺軸２１の溝２１ａに噛み合っている。この噛み合いにより、螺軸２１が回転すると、スライダ２２がスプール軸方向に前後に往復移動する。
【００３９】
回転伝達機構１４は、図３に示すように、膨出部２ｅの内部に収納されており、ピニオンギア１２と、連結軸３６と、連結軸３６の下端を回転自在に支持する第１軸受部２８と、連結軸３６の上端を回転自在に支持する第２軸受部２９と、第１ギア３７〜第３ギア３９とを有している。ピニオンギア１２は、ロータ駆動機構５を構成するとともに回転伝達機構１４も構成している。ピニオンギア１２は、後部にねじ歯車からなるギア部１２ｂを有しており、このギア部１２ｂがフェースギア１１に噛み合っている。
【００４０】
連結軸３６は、螺軸２１に連結可能にピニオンギア１２と食い違う軸に沿って斜めに配置された軸であり、膨出部２ｅの内部に配置されている。具体的には、連結軸３６は、ピニオンギア１２と螺軸２１とにそれぞれ軸交差角が９０度となるようにハンドル軸１０と交差する面に対して傾いて、つまりリール本体２に対して水平（左右）方向及び垂直（上下）方向に対して斜めに傾いて配置されている。このように連結軸３６を斜めに配置することで、連結軸３６を設けても、水平方向及び垂直方向のサイズをバランスよく維持した状態で、リール本体２をコンパクト化することができる。
【００４１】
第１軸受部２８は、前述したようにリールボディ２ａに形成された膨出部２ｅの下面に着脱自在に装着されており、ねじ２３により固定されている。第２軸受部２９は、前述したように膨出部２ｅの基端部からリールボディ２ａの内方に向かって突出して形成されている。第１軸受部２８及び第２軸受部２９は、連結軸３６を回転自在に支持するための軸受２８ａ、２９ａをそれぞれ有している。
【００４２】
第１ギア３７は、ピニオンギア１２のギア部１２ｂにフェースギア１１の噛み合い位置と逆側の面で噛み合うねじ歯車であり、連結軸３６に回転不能に固定されている。第２ギア３８は、ねじ歯車であり、連結軸３６に第１ギア３７と間隔を隔てて設けられている。この第２ギア３８は、連結軸３６と一体形成されている。第３ギア３９は、第２ギア３８に噛み合うねじ歯車であり、螺軸２１の前端に回転不能に固定されている。
【００４３】
第１軸受部２８は、リールボディ２ａに着脱自在に装着された蓋部材２８ｂと、蓋部材２８ｂに装着された軸受２８ａとを有している。蓋部材２８ｂは、ロータ３の円筒部３０の後端部で覆われるようにリールボディ２ａの前部に形成されたフランジ部２ｇより後方でリールボディ２ａに着脱自在に装着されている。蓋部材２８ｂの装着部分において、リールボディ２ａの底部には、第２ギア３８の最外径より大径の内周面を有する貫通孔２ｆが形成されている。この貫通孔２ｆに蓋部材２８ｂがはめ込まれる。蓋部材２８ｂは、ビス２３によりリールボディ２ａに固定されている。
【００４４】
ロータ３は、図１に示すように、円筒部３０と、円筒部３０の側方に互いに対向してそれぞれ設けられた第１ロータアーム３１及び第２ロータアーム３２とを有している。円筒部３０と第１ロータアーム３１及び第２ロータアーム３２とは一体成形されている。
【００４５】
円筒部３０の前部には前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット３４が配置されており、このナット３４がピニオンギア１２の先端のネジ部に螺合している。ナット３４の内周部には、ナット３４をスプール軸１５に対して回転自在に支持するための軸受３５が配置されている。
【００４６】
第１ロータアーム３１及び第２ロータアーム３２の先端には、ベールアーム４４が糸巻き取り姿勢と糸開放姿勢との間で揺動自在に装着されている。ベールアーム４４は、図１及び図３に示すように、第１ロータアーム３１及び第２ロータアーム３２の先端の内側にそれぞれ揺動自在に装着された第１ベール支持部材４０及び第２ベール支持部材４２と、第１ベール支持部材４０の先端に基端が固定された固定軸を含む固定軸カバー４７と、釣り糸をスプール４に案内するラインローラ４１と、固定軸カバー４７と第２ベール支持部材４２とを連結するベール４３とを有している。第１ベール支持部材４０は、図１に示すように、第１ロータアーム３１の先端外側に揺動自在に装着されている。第２ベール支持部材４２は、第２ロータアーム３２の先端内側に揺動自在に装着されている。
【００４７】
ロータ３の円筒部３０の内部にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪がリールボディ２ａに固定され、内輪がピニオンギア１２に回転不能に装着されている。操作機構５２は、リールボディ２ａの後部に配置された操作レバー５３を有しており、操作レバー５３を揺動させることでワンウェイクラッチが２つの状態に切り換られ、作動状態のときにロータ３が逆転不能になり、非作動状態のときロータ３が逆転可能になる。
【００４８】
スプール４は、ロータ３の第１ロータアーム３１と第２ロータアーム３２との間に配置されており、スプール軸１５の先端にドラグ機構６０を介して固定されている。スプール４は、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。糸巻胴部４ａはロータ３の円筒部３０の外周側まで延びる円筒状の部材である。また、スカート部４ｂ及び前フランジ部４ｃは、糸巻胴部４ａの両端から垂直に径方向外方に拡がっている。これにより、釣り糸がスプール４の糸巻胴部４ａに巻き付けられるとき、各糸巻段での釣り糸の巻数が略等しくなる。
【００４９】
次に、リールの操作及び動作について説明する。
このスピニングリールでは、キャスティング時には、ベールアーム４４を糸巻き取り姿勢から糸開放姿勢に倒す。これにより第１ベール支持部材４０及び第２ベール支持部材４２は、同方向に揺動する。
【００５０】
釣り糸巻き取り時には、ベールアーム４４を糸巻き取り姿勢に倒す。これは、ハンドル組立体１を糸巻き取り方向に回転させると図示しないカムとバネの働きにより自動的に行われる。ハンドル組立体１を糸巻き取り方向に回転させると、この回転力はハンドル軸１０及びフェースギア１１を介してピニオンギア１２に伝達される。このピニオンギア１２に伝達された回転力は、ピニオンギア１２前部１２ａを介してロータ３に伝達され、ロータ３が糸巻き取り方向に回転する。
【００５１】
このようにハンドル組立体１を回転させるとき、特に、ジギングを行う際には、ハンドル把手９全体を掌で強く握持する。ここでは、ハンドル把手９は、把手部９１の外周面が略球状に形成されているので、ハンドル把手９全体を掌で強く握持することができる。このようにハンドル把手９を握るときは、第１把手９２の外周面に指先が接触し、第３把手９４の外周面に掌が接触する。このハンドル把手９では、第１把手９２と第３把手９４とが真鍮等の金属の同じ材質の部材により形成されているので、ハンドル把手９を握ったときに指先が接触する第１把手９２と掌が接触する第３把手９４とで触感が同じになり、このためハンドル把手９を把持したときの触感を良好にすることができる。
【００５２】
また、このようなハンドル把手９は、筒状部９０と、筒状部９０外周に設けられた第１把手９２、第２把手９３及び第３把手９４の３つの部材とで構成されている。ここでは、第２把手９３は、合成樹脂により形成され、第１把手９２及び第３把手９４は、真鍮等の金属により第２把手９３と異なる材質の部材で形成されているので、合成樹脂製の第２把手９３によって全体の軽量化を図りながら、金属製の第１把手９２及び第３把手９４によって外観の美観を高く維持することができる。したがって、第１把手９２、第２把手９３及び第３把手９４の３つの部材でハンドル把手９を構成することにより、全体の軽量化を図るとともに、外観の美観を高く維持しながら、把持したときの触感を良好にすることができる。
【００５３】
〔他の実施形態〕
（ａ）  スピニングリールの形態は、前記実施形態に限定されるものではなく、ドラグ機構を有さないものや後部に有するものや、逆転防止機構に代えてブレーキレバーを有する制動機構を装着したものにも本発明を適用できる。また、スピニングリールだけでなく、ロープロファイル型のベイトリールや図９に示す丸型の両軸受リールのハンドルに対して本発明を適用できる。
【００５４】
本発明の他の実施形態を採用した両軸受リールは、図９に示すように、シングルハンドルタイプの丸型リールであり、リール本体１０１と、リール本体１０１の側方に配置されたスプール回転用のハンドル組立体１０２と、ハンドル組立体１０２のリール本体１０１側に配置されたスタードラグ１０３とを備えている。
【００５５】
リール本体１０１には、釣り糸を巻き取りあるいは繰り出すためのスプール１１５が回転自在に装着され、竿取付脚１０４を介して釣竿に取り付けられている。リール本体１０１は、所定の間隔をあけて配置された左右１対の第１側板１１０及び第２側板１１１と第１側板１１０及び第２側板１１１を連結する複数の連結部材１１２とを有するフレーム１０５と、フレーム１０５の両側方に装着された第１側カバー１１３及び第２側カバー１１４と、第２側カバー１１４に装着された機構装着板１１６とを有している。
【００５６】
ハンドル組立体１０２は、図示しないハンドル軸の先端に回転不能に装着されたハンドルアーム１０８と、ハンドルアーム１０８の先端にかしめ固定された把手軸１１８と、把手軸１１８に回転自在に装着されたハンドル把手１０９とを有している。
【００５７】
ハンドル把手１０９は、把手軸１１８の外周側に装着される筒状部１９０と、筒状部１９０と一体成形される略球状の把手部１９１とを有している。把手部１９１は、ハンドルアーム１０８側に配置され外周面が略半球状に形成された第１把手１９２と、第１把手１９２のハンドルアーム１０８と逆側に配置され外周面が略円筒状に形成された第２把手１９３と、第２把手１９３のハンドルアーム８と逆側に配置され外周面が略半球状に形成された第３把手１９４とを有している。第２把手１９３は、合成樹脂により形成され、第１把手１９２及び第３把手１９４は、真鍮等の金属により第２把手１９３と異なる材質の部材で形成されている。第１把手１９２と第３把手１９４とは、真鍮等の金属の同じ材質の部材により形成されている
ここでは、前記実施形態と同様に、第１把手１９２、第２把手１９３及び第３把手１９４の３つの部材でハンドル把手１０９を構成することにより、全体の軽量化を図るとともに、外観の美観を高く維持しながら、把持したときの触感を良好にすることができる。
【００５８】
（ｂ）  前記実施形態では、第１把手９２は、筒状部９０と一体成形されていたが、筒状部９０と第１把手９２とを別体で形成してもよい。また、第１把手９２及び第３把手９４は、真鍮等の金属を成型加工した後切削加工することによって形成されていたが、真鍮以外の金属や、金属以外の合成樹脂や、炭素繊維強化樹脂（ＣＦＲＰ）等により第１把手９２及び第３把手９４を形成してもよい。また、第１把手９２及び第３把手９４は、真鍮等の金属を成型加工した後切削加工することに限定されるものではなく、真鍮等の金属を切削加工のみで形成してもよい。また、第２把手９３は、合成樹脂により形成されていたが、金属や炭素繊維強化樹脂（ＣＦＲＰ）等により第２把手９３を形成してもよい。たとえば、図１０に示すように、第１把手９２及び第３把手９４を炭素繊維強化樹脂（ＣＦＲＰ）等の合成樹脂により形成し、第２把手９３を軽量な軽金属等の金属により形成する構成にしてもよい。
【００５９】
（ｃ）  前記実施形態では、第１把手９２及び第３把手９４は、第２把手９３と異なる材質の部材で形成されていたが、第２把手９３と同じ材質の部材により形成してもよい。たとえば、第１把手９２、第２把手９３及び第３把手９４を全て同じ材質の部材により形成する構成にしてもよい。
【００６０】
（ｄ）  前記実施形態では、第１把手９２と第３把手９４とが同じ材質の部材により形成されていたが、第１把手９２と第３把手９４とを異なる材質の部材で形成してもよい。たとえば、第１把手９２、第２把手９３及び第３把手９４を全て異なる材質の部材により形成する構成にしてもよい。また、第１把手９２及び第２把手９３を同じ材質の部材により形成し、第３把手９４を第１把手９２及び第２把手９３と異なる材質の部材により形成してもよい。また、第２把手９３及び第３把手９４を同じ材質の部材により形成し、第１把手９２を第２把手９３及び第３把手９４と異なる材質の部材により形成してもよい。
【００６１】
（ｅ）  前記実施形態では、第１把手９２は、２つの第１雌ねじ部９２ｃが形成された２つの第１ボス部９２ｂが一体成形され、第３把手９４は、２本のねじ部材９５によって第１把手９２の第１雌ねじ部９２ｃにねじ止めされていたが、図１１に示すように、筒状部９０の先端部に固定された円板状の取付部材９６にねじ止めする構成にしてもよい。
【００６２】
筒状部９０は、図１１に示すように、先端部外周に形成された第２雄ねじ部９０ａを有している。取付部材９６は、内周部に形成され筒状部９０の第２雄ねじ部９０ａに螺合可能な第２雌ねじ部９６ａと、外周部のハンドルアーム８側と逆側の面の２箇所にねじ部材９５の第１雄ねじ部９５ｂが螺合可能な第１雌ねじ部９６ｂとを有している。
【００６３】
このようなハンドル把手９を組み立てるには、筒状部９０を把手軸１８に対して回転可能に装着し、ねじ部材２０ｃによって抜け止めする。次に、筒状部９０の第２雄ねじ部９０ａに取付部材９６の第２雌ねじ部９６ａを螺合し、さらに接着固定することにより、筒状部９０に取付部材９６を固定する。次に、第１把手９２の後端面が第２把手９３の前端面を印籠係合し、さらに第２把手９３の後端面が第３把手９４の前端面を印籠係合する。この状態で、第３把手９４の貫通孔９４ｃにねじ部材９５の第１雄ねじ部９５ｂを挿入する。そして、ねじ部材９５の第１雄ねじ部９５ｂを取付部材９６の第１雌ねじ部９６ｂに螺合し、ねじ部材９５の頭部９５ａが段付凹部９４ｄに接触するまでねじ込んで第３把手９４を第１把手９２に固定する。これにより、第２把手９３は、第１把手９２と第３把手９４とで軸方向移動不能に挟持される。
【００６４】
ここでは、ねじ部材９５が装着される取付部材９６が、筒状部９０と別体で設けられているので、従来のように筒状部９０の先端部外周に大径となるボス部を切削加工する必要がなくなるので、安価な構成で第３把手９４を第１把手９２に着脱可能に装着することができる。
【図面の簡単な説明】
【００６５】
【図１】本発明の一実施形態を採用したスピニングリールの側面断面図。
【図２】図１のＩＩ−ＩＩ断面図。
【図３】図１のＩＩＩ−ＩＩＩ断面図。
【図４】ハンドル軸周辺の断面図。
【図５】ハンドル把手の拡大側面図。
【図６】前記ハンドル把手の正面図。
【図７】前記ハンドル把手の背面図。
【図８】前記ハンドル把手の側面断面図。
【図９】他の実施形態を採用した両軸受リールの斜視図。
【図１０】他の実施形態の図８に相当する図。
【図１１】他の実施形態の図８に相当する図。
【符号の説明】
【００６６】
１  ハンドル組立体
２  リール本体
７  ハンドル軸部
８  ハンドルアーム
９  ハンドル把手
１０  ハンドル軸
１８  把手軸
９０  筒状部
９１  把手部
９２  第１把手
９２ａ  第１空間
９２ｂ  第１ボス部
９２ｃ  第１雌ねじ部
９３  第２把手
９３ａ  第２空間
９４  第３把手
９４ａ  第３空間
９４ｂ  第２ボス部
９４ｃ  貫通孔
９４ｄ  段付凹部
９５  ねじ部材
９５ａ  頭部
９５ｂ  第１雄ねじ部
【図１】
2006238746.tif 000003
【図２】
2006238746.tif 000004
【図３】
2006238746.tif 000005
【図４】
2006238746.tif 000006
【図５】
2006238746.tif 000007
【図６】
2006238746.tif 000008
【図７】
2006238746.tif 000009
【図８】
2006238746.tif 000010
【図９】
2006238746.tif 000011
【図１０】
2006238746.tif 000012
【図１１】
2006238746.tif 000013